(57)【要約】      （修正有）【課題】印刷が行われるウェブの材質にかかわらず給紙部においてウェブロールの切り換えが行われた後のウェブの断裁位置のずれ量をより迅速に許容範囲内に収束させることができる印刷機および印刷方法を提供する。【解決手段】印刷機において、給紙部１０は、複数のウェブロール１１、１２のうちある一つのウェブロールからウェブＷを巻き出すようになっており、ウェブＷの巻き出し元となるウェブロールを切り換えることにより複数のウェブロール１１、１２から連続的にウェブＷを供給することができるようになっている。制御部９０は、給紙部１０においてウェブロール１１、１２の切り換えが行われたときに、テンション検出部（例えば、テンションローラ２２、５２）により検出されるウェブＷのテンションに基づいて、断裁制御を他の制御方法に変更する。【選択図】図１
2016068384.tif 000002
【特許請求の範囲】
【請求項１】
連続的に搬送される帯状のウェブに対して印刷を行う印刷機であって、
帯状のウェブの供給を行う給紙部と、
前記給紙部により供給されたウェブを連続的に搬送する搬送部と、
前記搬送部により連続的に搬送されるウェブに対して印刷を行う印刷部と、
前記搬送部により搬送されるウェブのテンションを検出するテンション検出部と、
前記印刷部により印刷が行われたウェブを断裁する断裁部と、
前記断裁部により断裁されるべきウェブの断裁位置のずれ量を検出する断裁位置ずれ量検出部と、
前記断裁部によるウェブの断裁位置の調整を行う断裁位置調整部と、
前記断裁位置ずれ量検出部により検出されるウェブの断裁位置のずれ量に基づいて前記断裁位置調整部によりウェブの断裁位置を調整するような断裁制御を行う制御部と、
を備え、
前記給紙部は、複数のウェブロールのうちある一つのウェブロールからウェブを巻き出すようになっており、ウェブの巻き出し元となるウェブロールを切り換えることにより複数のウェブロールから連続的にウェブを供給することができるようになっており、
前記制御部は、前記給紙部においてウェブロールの切り換えが行われたときに、前記テンション検出部により検出されるウェブのテンションに基づいて、前記断裁制御を他の制御方法に変更することができるようになっている、印刷機。
【請求項２】
前記制御部は、前記給紙部においてウェブロールの切り換えが行われたときに、前記断裁制御を他の制御方法に変更した後、所定の条件が満たされたときに他の制御方法を前記断裁制御に戻すようになっている、請求項１記載の印刷機。
【請求項３】
前記制御部は、前記給紙部においてウェブロールの切り換えが行われたときに、前記テンション検出部により検出されるウェブのテンションが第１の所定値よりも小さい場合に、前記断裁制御を他の制御方法に変更するようになっている、請求項１または２記載の印刷機。
【請求項４】
前記制御部は、前記給紙部においてウェブロールの切り換えが行われたときに、前記テンション検出部により検出されるウェブのテンションが前記第１の所定値よりも小さい場合において、前記第１の所定値よりも小さい値である第２の所定値よりもウェブのテンションが更に小さい場合と、ウェブのテンションが前記第２の所定値以上である場合とで異なる制御方法でウェブの断裁位置を調整するようになっている、請求項３記載の印刷機。
【請求項５】
前記テンション検出部は、前記給紙部と前記印刷部との間において前記搬送部により搬送されるウェブのテンションを検出する第１テンション検出部分と、前記搬送部によるウェブの搬送方向において前記印刷部よりも下流側のウェブのテンションを検出する第２テンション検出部分とを有しており、
前記制御部は、前記給紙部においてウェブロールの切り換えが行われたときに、前記第１テンション検出部分により検出されるウェブのテンションおよび前記第２テンション検出部分により検出されるウェブのテンションの各々に基づいて、前記断裁制御を他の制御方法に変更することができるようになっている、請求項１または２記載の印刷機。
【請求項６】
前記制御部は、前記給紙部においてウェブロールの切り換えが行われたときに、前記第１テンション検出部分により検出されるウェブのテンションが第３の所定値よりも小さく、かつ前記第２テンション検出部分により検出されるウェブのテンションが第４の所定値よりも小さい場合に、前記断裁制御を他の制御方法に変更するようになっている、請求項５記載の印刷機。
【請求項７】
連続的に搬送される帯状のウェブに対して印刷を行う印刷機であって、
帯状のウェブの供給を行う給紙部と、
前記給紙部により供給されたウェブを連続的に搬送する搬送部と、
前記搬送部により連続的に搬送されるウェブに対して印刷を行う印刷部と、
前記印刷部により印刷が行われたウェブを断裁する断裁部と、
前記断裁部により断裁されるべきウェブの断裁位置のずれ量を検出する断裁位置ずれ量検出部と、
前記断裁部によるウェブの断裁位置の調整を行う断裁位置調整部と、
前記断裁位置ずれ量検出部により検出されるウェブの断裁位置のずれ量に基づいて前記断裁位置調整部によりウェブの断裁位置を調整するような断裁制御を行う制御部と、
印刷が行われるウェブの材質に係る情報を受け付けるウェブ材質情報受付手段と、
を備え、
前記給紙部は、複数のウェブロールのうちある一つのウェブロールからウェブを巻き出すようになっており、ウェブの巻き出し元となるウェブロールを切り換えることにより複数のウェブロールから連続的にウェブを供給することができるようになっており、
前記制御部は、前記給紙部においてウェブロールの切り換えが行われたときに、前記ウェブ材質情報受付手段により受け付けられたウェブの材質に係る情報に基づいて、前記断裁制御を他の制御方法に変更することができるようになっている、印刷機。
【請求項８】
連続的に搬送される帯状のウェブに対して印刷を行う印刷機による印刷方法であって、
給紙部により帯状のウェブの供給を行う工程と、
前記給紙部により供給されたウェブを搬送部により連続的に搬送する工程と、
前記搬送部により連続的に搬送されるウェブに対して印刷部により印刷を行う工程と、
前記搬送部により搬送されるウェブのテンションをテンション検出部により検出する工程と、
前記印刷部により印刷が行われたウェブを断裁部により断裁する工程と、
前記断裁部により断裁されるべきウェブの断裁位置のずれ量を断裁位置ずれ量検出部により検出する工程と、
前記断裁位置ずれ量検出部により検出されるウェブの断裁位置のずれ量に基づいて断裁位置調整部によりウェブの断裁位置を調整するような断裁制御を行う工程と、
を備え、
前記給紙部は、複数のウェブロールのうちある一つのウェブロールからウェブを巻き出すようになっており、ウェブの巻き出し元となるウェブロールを切り換えることにより複数のウェブロールから連続的にウェブを供給することができるようになっており、
前記給紙部においてウェブロールの切り換えが行われたときに、前記テンション検出部により検出されるウェブのテンションに基づいて、前記断裁制御を他の制御方法に変更することができるようになっている、印刷方法。
【請求項９】
連続的に搬送される帯状のウェブに対して印刷を行う印刷機による印刷方法であって、
給紙部により帯状のウェブの供給を行う工程と、
前記給紙部により供給されたウェブを搬送部により連続的に搬送する工程と、
前記搬送部により連続的に搬送されるウェブに対して印刷部により印刷を行う工程と、
前記印刷部により印刷が行われたウェブを断裁部により断裁する工程と、
前記断裁部により断裁されるべきウェブの断裁位置のずれ量を断裁位置ずれ量検出部により検出する工程と、
前記断裁位置ずれ量検出部により検出されるウェブの断裁位置のずれ量に基づいて断裁位置調整部によりウェブの断裁位置を調整するような断裁制御を行う工程と、
印刷が行われるウェブの材質に係る情報を入力する工程と、
を備え、
前記給紙部は、複数のウェブロールのうちある一つのウェブロールからウェブを巻き出すようになっており、ウェブの巻き出し元となるウェブロールを切り換えることにより複数のウェブロールから連続的にウェブを供給することができるようになっており、
前記給紙部においてウェブロールの切り換えが行われたときに、入力されたウェブの材質に係る情報に基づいて、前記断裁制御を他の制御方法に変更することができるようになっている、印刷方法。
【発明の詳細な説明】
【技術分野】
【０００１】
本発明は、連続的に搬送される帯状の紙やフィルム等のウェブに対して印刷を行う印刷機および印刷方法に関する。
【背景技術】
【０００２】
連続的に搬送される帯状の紙やフィルム等のウェブに対して多色刷りの印刷を行うためのオフセット輪転印刷機として従来から様々なタイプのものが知られている。このようなオフセット輪転印刷機では、各色の印刷ユニットにおいて、インキつぼからインキを供給するとともに水舟から湿し水を供給し、多数のローラを経て版胴に取り付けられた版にインキと水を供給することによって当該版の外周面に画像を形成する。そして、この版からブランケット胴に取り付けられたブランケットにインキを一度転写し、このブランケットからウェブにインキを更に転写することにより当該ウェブに対して印刷を行う。印刷が行われたウェブは次工程の乾燥部で加熱乾燥された後、冷却部において冷却され、その後、断裁部において所定の大きさに断裁される。
【０００３】
また、従来のオフセット輪転印刷機では、帯状のウェブの供給を行う給紙部として、複数（例えば、２つの）のウェブロールがリールスタンド等により回転自在に支持されるものが用いられるようになっており、印刷工程の途中でウェブの巻き出し元となるウェブロールを切り換えることにより複数のウェブロールから連続的にウェブを供給することができるようになっている。しかしながら、給紙部においてウェブロールの切り換えを行う際に旧ウェブロールから巻き出されたウェブと新ウェブロールから巻き出されたウェブロールとが重なることにより、このウェブの重なった箇所ではウェブの伸縮し易さが変わる等、ウェブの特性が大きく変わる。このため、給紙部においてウェブロールの切り換えを行った直後では、断裁部によるウェブの断裁位置が大きくずれてしまうという問題があった。
【０００４】
このような問題に対し、特許文献１や特許文献２には、センサ等の断裁位置ずれ量検出部により検出されるウェブの断裁位置のずれ量に基づいてコンペンセータローラ等の断裁位置調整部によりウェブの断裁位置を調整するような断裁制御を、給紙部においてウェブロールの切り換えを行う際に一時的にオフとし、その後に再びこのような断裁制御をオンとするような制御方法が開示されている。
【先行技術文献】
【特許文献】
【０００５】
【特許文献１】特開２０１４−４００１２号公報
【特許文献２】特開２００６−１０３０２０号公報
【発明の概要】
【発明が解決しようとする課題】
【０００６】
しかしながら、給紙部においてウェブロールの切り換えを行う際における、断裁部によるウェブの断裁位置のずれはウェブの材質によって大きく異なるのに対し、特許文献１や特許文献２に開示される方法ではこのようなウェブの材質による影響を考慮していないため、例えば薄紙に対して印刷を行う場合には、給紙部においてウェブロールの切り換えを行った後に断裁部によるウェブの断裁位置が大きくずれてしまうおそれがあった。一方、厚紙に対して印刷を行う場合には、給紙部においてウェブロールの切り換えを行う際に上記の断裁制御をオフとしないほうがウェブの断裁位置のずれ量がより迅速に許容範囲内に収束する場合があった。また、上記の断裁制御を、給紙部においてウェブロールの切り換えを行う際にオフとするような運用を行う場合には、ウェブの材料毎に制御ゲインを切り換える必要があった。
【０００７】
本発明は、このような点を考慮してなされたものであり、印刷が行われるウェブの材質にかかわらず給紙部においてウェブロールの切り換えが行われた後のウェブの断裁位置のずれ量をより迅速に許容範囲内に収束させることができる印刷機および印刷方法を提供することを目的とする。
【課題を解決するための手段】
【０００８】
本発明の印刷機は、連続的に搬送される帯状のウェブに対して印刷を行う印刷機であって、帯状のウェブの供給を行う給紙部と、前記給紙部により供給されたウェブを連続的に搬送する搬送部と、前記搬送部により連続的に搬送されるウェブに対して印刷を行う印刷部と、前記搬送部により搬送されるウェブのテンションを検出するテンション検出部と、前記印刷部により印刷が行われたウェブを断裁する断裁部と、前記断裁部により断裁されるべきウェブの断裁位置のずれ量を検出する断裁位置ずれ量検出部と、前記断裁部によるウェブの断裁位置の調整を行う断裁位置調整部と、前記断裁位置ずれ量検出部により検出されるウェブの断裁位置のずれ量に基づいて前記断裁位置調整部によりウェブの断裁位置を調整するような断裁制御を行う制御部と、を備え、前記給紙部は、複数のウェブロールのうちある一つのウェブロールからウェブを巻き出すようになっており、ウェブの巻き出し元となるウェブロールを切り換えることにより複数のウェブロールから連続的にウェブを供給することができるようになっており、前記制御部は、前記給紙部においてウェブロールの切り換えが行われたときに、前記テンション検出部により検出されるウェブのテンションに基づいて、前記断裁制御を他の制御方法に変更することができるようになっていることを特徴とする。
【０００９】
このような印刷機によれば、給紙部においてウェブロールの切り換えが行われたときに、テンション検出部により検出されるウェブのテンションに基づいて断裁制御を他の制御方法に変更することができるようになっているため、印刷が行われるウェブが例えば厚紙、普通紙、薄紙の場合でウェブの断裁位置の調整方法を異なるものとすることができ、このため印刷が行われるウェブの材質にかかわらず給紙部においてウェブロールの切り換えが行われた後のウェブの断裁位置のずれ量をより迅速に許容範囲内に収束させることができる。
【００１０】
本発明の印刷機においては、前記制御部は、前記給紙部においてウェブロールの切り換えが行われたときに、前記断裁制御を他の制御方法に変更した後、所定の条件が満たされたときに他の制御方法を前記断裁制御に戻すようになっていてもよい。
【００１１】
本発明の印刷機においては、前記制御部は、前記給紙部においてウェブロールの切り換えが行われたときに、前記テンション検出部により検出されるウェブのテンションが第１の所定値よりも小さい場合に、前記断裁制御を他の制御方法に変更するようになっていてもよい。
【００１２】
この場合、前記制御部は、前記給紙部においてウェブロールの切り換えが行われたときに、前記テンション検出部により検出されるウェブのテンションが前記第１の所定値よりも小さい場合において、前記第１の所定値よりも小さい値である第２の所定値よりもウェブのテンションが更に小さい場合と、ウェブのテンションが前記第２の所定値以上である場合とで異なる制御方法でウェブの断裁位置を調整するようになっていてもよい。
【００１３】
また、前記テンション検出部は、前記給紙部と前記印刷部との間において前記搬送部により搬送されるウェブのテンションを検出する第１テンション検出部分と、前記搬送部によるウェブの搬送方向において前記印刷部よりも下流側のウェブのテンションを検出する第２テンション検出部分とを有しており、前記制御部は、前記給紙部においてウェブロールの切り換えが行われたときに、前記第１テンション検出部分により検出されるウェブのテンションおよび前記第２テンション検出部分により検出されるウェブのテンションの各々に基づいて、前記断裁制御を他の制御方法に変更することができるようになっていてもよい。
【００１４】
この場合、前記制御部は、前記給紙部においてウェブロールの切り換えが行われたときに、前記第１テンション検出部分により検出されるウェブのテンションが第３の所定値よりも小さく、かつ前記第２テンション検出部分により検出されるウェブのテンションが第４の所定値よりも小さい場合に、前記断裁制御を他の制御方法に変更するようになっていてもよい。
【００１５】
本発明の他の印刷機は、連続的に搬送される帯状のウェブに対して印刷を行う印刷機であって、帯状のウェブの供給を行う給紙部と、前記給紙部により供給されたウェブを連続的に搬送する搬送部と、前記搬送部により連続的に搬送されるウェブに対して印刷を行う印刷部と、前記印刷部により印刷が行われたウェブを断裁する断裁部と、前記断裁部により断裁されるべきウェブの断裁位置のずれ量を検出する断裁位置ずれ量検出部と、前記断裁部によるウェブの断裁位置の調整を行う断裁位置調整部と、前記断裁位置ずれ量検出部により検出されるウェブの断裁位置のずれ量に基づいて前記断裁位置調整部によりウェブの断裁位置を調整するような断裁制御を行う制御部と、印刷が行われるウェブの材質に係る情報を受け付けるウェブ材質情報受付手段と、を備え、前記給紙部は、複数のウェブロールのうちある一つのウェブロールからウェブを巻き出すようになっており、ウェブの巻き出し元となるウェブロールを切り換えることにより複数のウェブロールから連続的にウェブを供給することができるようになっており、前記制御部は、前記給紙部においてウェブロールの切り換えが行われたときに、前記ウェブ材質情報受付手段により受け付けられたウェブの材質に係る情報に基づいて、前記断裁制御を他の制御方法に変更することができるようになっていることを特徴とする。
【００１６】
このような印刷機によれば、給紙部においてウェブロールの切り換えが行われたときに、ウェブ材質情報受付手段により受け付けられたウェブの材質に係る情報に基づいて断裁制御を他の制御方法に変更することができるようになっているため、印刷が行われるウェブが例えば厚紙、普通紙、薄紙の場合でウェブの断裁位置の調整方法を異なるものとすることができ、このため印刷が行われるウェブの材質にかかわらず給紙部においてウェブロールの切り換えが行われた後のウェブの断裁位置のずれ量をより迅速に許容範囲内に収束させることができる。
【００１７】
本発明の印刷方法は、連続的に搬送される帯状のウェブに対して印刷を行う印刷機による印刷方法であって、給紙部により帯状のウェブの供給を行う工程と、前記給紙部により供給されたウェブを搬送部により連続的に搬送する工程と、前記搬送部により連続的に搬送されるウェブに対して印刷部により印刷を行う工程と、前記搬送部により搬送されるウェブのテンションをテンション検出部により検出する工程と、前記印刷部により印刷が行われたウェブを断裁部により断裁する工程と、前記断裁部により断裁されるべきウェブの断裁位置のずれ量を断裁位置ずれ量検出部により検出する工程と、前記断裁位置ずれ量検出部により検出されるウェブの断裁位置のずれ量に基づいて断裁位置調整部によりウェブの断裁位置を調整するような断裁制御を行う工程と、を備え、前記給紙部は、複数のウェブロールのうちある一つのウェブロールからウェブを巻き出すようになっており、ウェブの巻き出し元となるウェブロールを切り換えることにより複数のウェブロールから連続的にウェブを供給することができるようになっており、前記給紙部においてウェブロールの切り換えが行われたときに、前記テンション検出部により検出されるウェブのテンションに基づいて、前記断裁制御を他の制御方法に変更することができるようになっていることを特徴とする。
【００１８】
このような印刷方法によれば、給紙部においてウェブロールの切り換えが行われたときに、テンション検出部により検出されるウェブのテンションに基づいて断裁制御を他の制御方法に変更することができるようになっているため、印刷が行われるウェブが例えば厚紙、普通紙、薄紙の場合でウェブの断裁位置の調整方法を異なるものとすることができ、このため印刷が行われるウェブの材質にかかわらず給紙部においてウェブロールの切り換えが行われた後のウェブの断裁位置のずれ量をより迅速に許容範囲内に収束させることができる。
【００１９】
本発明の他の印刷方法は、連続的に搬送される帯状のウェブに対して印刷を行う印刷機による印刷方法であって、給紙部により帯状のウェブの供給を行う工程と、前記給紙部により供給されたウェブを搬送部により連続的に搬送する工程と、前記搬送部により連続的に搬送されるウェブに対して印刷部により印刷を行う工程と、前記印刷部により印刷が行われたウェブを断裁部により断裁する工程と、前記断裁部により断裁されるべきウェブの断裁位置のずれ量を断裁位置ずれ量検出部により検出する工程と、前記断裁位置ずれ量検出部により検出されるウェブの断裁位置のずれ量に基づいて断裁位置調整部によりウェブの断裁位置を調整するような断裁制御を行う工程と、印刷が行われるウェブの材質に係る情報を入力する工程と、を備え、前記給紙部は、複数のウェブロールのうちある一つのウェブロールからウェブを巻き出すようになっており、ウェブの巻き出し元となるウェブロールを切り換えることにより複数のウェブロールから連続的にウェブを供給することができるようになっており、前記給紙部においてウェブロールの切り換えが行われたときに、入力されたウェブの材質に係る情報に基づいて、前記断裁制御を他の制御方法に変更することができるようになっていることを特徴とする。
【００２０】
このような印刷方法によれば、給紙部においてウェブロールの切り換えが行われたときに、入力されたウェブの材質に係る情報に基づいて断裁制御を他の制御方法に変更することができるようになっているため、印刷が行われるウェブが例えば厚紙、普通紙、薄紙の場合でウェブの断裁位置の調整方法を異なるものとすることができ、このため印刷が行われるウェブの材質にかかわらず給紙部においてウェブロールの切り換えが行われた後のウェブの断裁位置のずれ量をより迅速に許容範囲内に収束させることができる。
【発明の効果】
【００２１】
本発明の印刷機および印刷方法によれば、印刷が行われるウェブの材質にかかわらず給紙部においてウェブロールの切り換えが行われた後のウェブの断裁位置のずれ量をより迅速に許容範囲内に収束させることができる。
【図面の簡単な説明】
【００２２】
【図１】本発明の実施の形態によるオフセット輪転印刷機の構成の概略を示す概略構成図である。
【図２】図１に示すオフセット輪転印刷機により印刷が行われる際に給紙部においてウェブロールの切り換えが行われたときの動作を示すフローチャートである。
【図３】図１に示すオフセット輪転印刷機においてプリセット制御が行われるときの動作を示すフローチャートである。
【図４】図１に示すオフセット輪転印刷機においてオンオフ制御が行われるときの動作を示すフローチャートである。
【図５】図１に示すオフセット輪転印刷機により印刷が行われる際に給紙部においてウェブロールの切り換えが行われた場合におけるインフィードテンション値およびクーリングテンション値と制御の切換内容との関係を示す表である。
【図６】変形例に係るオフセット輪転印刷機により印刷が行われる際に給紙部においてウェブロールの切り換えが行われた場合におけるクーリングテンション値と制御の切換内容との関係を示す表である。
【図７】図１に示すオフセット輪転印刷機により厚紙、普通紙および薄紙の各々に対して印刷が行われる際に給紙部においてウェブロールの切り換えが行われた場合におけるウェブの断裁位置のずれ量の経時的な変化を示すグラフである。
【図８】図１に示すオフセット輪転印刷機により薄紙に対して印刷が行われる際に給紙部においてウェブロールの切り換えが行われた場合におけるウェブの断裁位置のずれ量の経時的な変化を示すグラフである。
【発明を実施するための形態】
【００２３】
以下、図面を参照して本発明の実施の形態について説明する。図１乃至図５は、本実施の形態に係るオフセット輪転印刷機およびこのような印刷機による印刷方法を示す図である。
【００２４】
図１に示すように、本実施の形態によるオフセット輪転印刷機（以下、単に印刷機ともいう）は、紙やフィルム等のウェブＷの供給を行う給紙部１０と、給紙部１０からウェブＷが送られるインフィード部２０と、インフィード部２０から送られたウェブＷに対して各色の印刷を行う複数（具体的には、例えば４つ）の印刷ユニット３０と、各印刷ユニット３０により印刷が行われたウェブＷの乾燥を行う乾燥部４０と、乾燥部４０により乾燥が行われたウェブＷを冷却するための冷却部５０と、冷却部５０から送られたウェブＷの走行位置や走行姿勢を安定化させるためのウェブパス部６０と、ウェブパス部６０を通過したウェブＷを縦に二つ折りした後、各印刷ユニット３０によって印刷された絵柄を単位とした大きさにウェブＷを断裁して折り畳むための折機７０とを備えている。以下、このような構成からなるオフセット輪転印刷機の各構成部材について詳述する。
【００２５】
給紙部１０には、ウェブロール１１、１２を回転自在に支持するリールスタンド等のウェブロール支持部１３が設けられており、印刷工程の途中で新、旧のウェブロールを互いに接続して連続的にウェブＷを供給するようになっている。図１において、ウェブロール１１は印刷工程において使用中のもの（すなわち、旧ウェブロール）であり、ウェブロール１２は次の使用のために準備されたもの（すなわち、新ウェブロール）である。ウェブロール支持部１３は、軸１３ｂを中心として回転可能なアーム部１３ａを有しており、このアーム部１３ａの両端部にそれぞれウェブロール１１、１２が回転自在に配設されるようになっている。また、図１に示す状態から軸１３ｂを中心としてアーム部１３ａが時計回りの方向に１８０°回転することにより、ウェブＷの巻き出し元を旧ウェブロール１１から新ウェブロール１２へ切り換えるようになっている。
【００２６】
インフィード部２０は、給紙部１０から送られたウェブＷのテンション（ウェブＷの張力）を調整しながら各印刷ユニット３０にウェブＷを送るようになっている。また、インフィード部２０には、当該インフィード部２０により調整されたウェブＷのテンションを測定するテンションローラ２２が設けられており、当該テンションローラ２２により測定されたウェブＷのテンションはインフィードテンション値として後述する制御部９０に送信されるようになっている。なお、このようなインフィードテンション値は、主にウェブＷの材質を基にオペレータが設定（通常は紙の厚みと比例関係にある）している。
【００２７】
本実施の形態の印刷機では、ブラック、シアン、マゼンタ、イエローなどの各色に対応した４つ以上の印刷ユニット３０がウェブＷの搬送方向に沿って直列に並ぶよう設けられている。各印刷ユニット３０には、上下一対の版胴３２と、各版胴３２に当接するよう設けられた上下一対のブランケット胴３４とがそれぞれ設けられている。版胴３２およびブランケット胴３４の組合せ体が各印刷ユニット３０において上下一対設けられていることにより、ウェブＷの両面に対して一度に印刷を行うことができるようになっている。より詳細には、各印刷ユニット３０において、インキつぼ（図示せず）からインキを供給するとともに水舟（図示せず）から湿し水を供給し、多数のローラを経て版胴３２に取り付けられた版にインキと水を供給することによって当該版の外周面に画像を形成する。そして、この版からブランケット胴３４に取り付けられたブランケットにインキを一度転写し、このブランケットからウェブＷにインキを更に転写することにより当該ウェブＷに印刷を行う。各印刷ユニット３０による印刷はウェブＷ上における同一領域に対して行われ、このように各色が同一領域で重ね合わせられることで１つの絵柄が形成されるようになっている。また、各印刷ユニット３０において、ウェブＷの幅方向における端部の近傍に見当マークが付けられるようになっている。
【００２８】
また、４色目の印刷ユニット３０の出口以降には見当マーク検出センサ（図示せず）が設けられており、この見当マーク検出センサによって、各印刷ユニット３０によりウェブＷに付けられた見当マークが検出されるようになっている。そして、見当マーク検出センサによる各見当マークの検出情報に基づいてウェブＷにおける印刷の見当ずれ量が検出されるようになっている。なお、このような見当マーク検出センサは印刷ユニット３０の出口以外にもウェブパス部６０に設置されている場合もある。
【００２９】
各印刷ユニット３０において印刷が行われたウェブＷは、次工程の乾燥部４０で加熱乾燥された後、冷却部５０において冷却される。その後、ウェブＷは冷却部５０からウェブパス部６０に送られる。なお、乾燥部４０は、各印刷ユニット３０を通過したウェブＷ上のインキを乾燥させるための装置であり、冷却部５０は、乾燥部４０での乾燥後の過剰な熱を蓄えるウェブＷを適切な温度まで冷却するための装置である。また、冷却部５０には、当該冷却部５０により冷却されたウェブＷのテンションを測定するテンションローラ５２が設けられており、当該テンションローラ５２により測定されたウェブＷのテンションはクーリングテンション値として後述する制御部９０に送信されるようになっている。なお、このようなクーリングテンション値は、主に印刷機の仕様やオペレータの操作におけるクセ等によって変化するようになっている。
【００３０】
ウェブパス部６０は、冷却部５０から送られたウェブＷの走行位置や走行姿勢を安定化させるようになっている。このウェブパス部６０にはコンペンセータローラ６２が設けられており、このコンペンセータローラ６２の位置はコンペンモータ６４により駆動されるようになっている。コンペンモータ６４がコンペンセータローラ６２の位置を調整することによって、後述する鋸胴７４によるウェブＷの断裁位置の調整が行われるようになっている。
【００３１】
図１に示すように、折機７０には、三角板７１、一対のニッピングローラ７３、鋸胴７４および折胴７５がそれぞれ設けられており、ウェブパス部６０から折機７０に送られたウェブＷは、三角板７１により二つ折りにされた後、一対のニッピングローラ７３の間を通過し、鋸胴７４および折胴７５によって所定の位置で断裁されるとともに折り畳まれて折帳が形成され、その後、この折帳が外部へ搬出されるようになっている。
【００３２】
本実施の形態の印刷機では、インフィード部２０、冷却部５０、ウェブパス部６０等において、ウェブＷを連続的に搬送するためのガイドロール（図示せず）が設けられている。また、インフィード部２０、冷却部５０、ウェブパス部６０にはそれぞれ駆動モータ８０、８２、８４が設けられており、これらの駆動モータ８０、８２、８４により、インフィード部２０、冷却部５０、ウェブパス部６０にそれぞれ設けられたガイドロールが回転駆動されるようになっている。そして、各ガイドロールを駆動モータ８０、８２、８４により回転させることにより、ウェブＷが各ガイドロールと連れ回って連続的に搬送される。また、後述する制御部９０によってウェブＷの搬送速度が調整されるようになっている。また、各印刷ユニット３０には、版胴３２を回転駆動させるための駆動モータ８１がそれぞれ設けられている。
【００３３】
また、ウェブパス部６０と折機７０との間には、ウェブＷの印刷状態を検出するセンサ８８が設けられている。センサ８８としては例えばカメラを用いることができ、カメラ画像を処理することによってウェブＷにおける断裁すべき箇所が基準点を通過したことを検出することができるようになっている。
【００３４】
また、図１に示すように、本実施の形態では、印刷機の各構成要素の制御を行うための制御部９０が設けられている。制御部９０にはコンペンモータ６４、各駆動モータ８０、８１、８２、８４およびセンサ８８がそれぞれ接続されており、センサ８８による検出情報は制御部９０に送られるとともに、制御部９０はコンペンモータ６４や各駆動モータ８０、８１、８２、８４の駆動を制御するようになっている。より詳細には、制御部９０は、センサ８８による検出情報に基づいてコンペンモータ６４を制御し、コンペンセータローラ６２の位置を調整することにより、折機７０の鋸胴７４によるウェブＷの断裁位置を調整するようになっている。すなわち、センサ８８は、折機７０の鋸胴７４により断裁されるべきウェブＷの断裁位置のずれ量を検出する断裁位置ずれ量検出部として機能するとともに、コンペンセータローラ６２やコンペンモータ６４は、折機７０の鋸胴７４によるウェブＷの断裁位置の調整を行う断裁位置調整部として機能するようになり、制御部９０は、このような断裁位置ずれ量検出部としてのセンサ８８により検出されるウェブＷの断裁位置のずれ量に基づいて断裁位置調整部としてのコンペンセータローラ６２によりウェブＷの断裁位置を調整するような断裁制御を行うようになる。
【００３５】
また、制御部９０は各駆動モータ８０、８２、８４を制御してウェブＷの搬送速度を調整するようになっている。また、制御部９０は各駆動モータ８１を制御して各印刷ユニット３０の版胴３２の位相を調整することにより、ウェブＷにおける印刷の見当合わせを行うようになっている。
【００３６】
また、本実施の形態では、制御部９０は、給紙部１０においてウェブロール１１、１２の切り換えが行われたときに、インフィード部２０に設けられたテンションローラ２２や冷却部５０に設けられたテンションローラ５２により検出されるウェブＷのテンション（具体的には、インフィードテンション値およびクーリングテンション値）に基づいて、上記の断裁制御を他の制御方法に変更することができるようになっている。このことについて図２乃至図４に示すフローチャートを用いて詳述する。
【００３７】
印刷機において通常の印刷工程が行われる場合には（ＳＴＥＰ１）、上述したように、制御部９０は、断裁位置ずれ量検出部としてのセンサ８８により検出されるウェブＷの断裁位置のずれ量に基づいて断裁位置調整部としてのコンペンセータローラ６２によりウェブＷの断裁位置を調整するような断裁制御（通常制御）を行う。一方、給紙部１０においてウェブロール１１、１２の切り換えが行われると（ＳＴＥＰ２の「ＹＥＳ」）、制御部９０は、インフィード部２０に設けられたテンションローラ２２により検出されるウェブＷのインフィードテンション値および冷却部５０に設けられたテンションローラ５２により検出されるウェブＷのクーリングテンション値に基づいて、上記の通常制御を他の制御方法に切り換えるか否かの判定を行う（ＳＴＥＰ３）。このような判定方法について図５に示す表を用いて詳述する。
【００３８】
給紙部１０においてウェブロール１１、１２の切り換えが行われたときに、インフィード部２０に設けられたテンションローラ２２により検出されるウェブＷのインフィードテンション値が所定値ａ１以下であり、かつ冷却部５０に設けられたテンションローラ５２により検出されるウェブＷのクーリングテンション値が所定値ｂ１以下である場合には（ＳＴＥＰ４の「ＹＥＳ」）、制御部９０は上記の通常制御をプリセット制御に切り換える（ＳＴＥＰ５）。そして、制御部９０は、所定の条件が満たされるとプリセット制御を元の通常制御（すなわち、上記の断裁制御）に切り換える（ＳＴＥＰ６）。なお、インフィード部２０に設けられたテンションローラ２２により検出されるウェブＷのインフィードテンション値が所定値ａ１以下であり、かつ冷却部５０に設けられたテンションローラ５２により検出されるウェブＷのクーリングテンション値が所定値ｂ１以下である場合としては、印刷が行われるウェブＷが例えば薄紙である場合が考えられる。このようなプリセット制御の内容の詳細については後述する。
【００３９】
また、給紙部１０においてウェブロール１１、１２の切り換えが行われたときに、制御部９０において通常制御をプリセット制御に切り換えない場合において（ＳＴＥＰ４の「ＮＯ」）、インフィード部２０に設けられたテンションローラ２２により検出されるウェブＷのインフィードテンション値が所定値ａ１よりも大きい所定値ａ２以下であり、かつ冷却部５０に設けられたテンションローラ５２により検出されるウェブＷのクーリングテンション値が所定値ｂ１よりも大きい所定値ｂ２以下である場合には（ＳＴＥＰ７の「ＹＥＳ」）、制御部９０は上記の通常制御をオンオフ制御に切り換える（ＳＴＥＰ８）。そして、制御部９０は、所定の条件が満たされるとオンオフ制御を元の通常制御（すなわち、上記の断裁制御）に切り換える（ＳＴＥＰ９）。このようなオンオフ制御の内容の詳細については後述する。なお、インフィード部２０に設けられたテンションローラ２２により検出されるウェブＷのインフィードテンション値が所定値ａ２以下であり、かつ冷却部５０に設けられたテンションローラ５２により検出されるウェブＷのクーリングテンション値が所定値ｂ２以下である場合としては、印刷が行われるウェブＷが例えば普通紙である場合が考えられる。このようなオンオフ制御の内容の詳細については後述する。
【００４０】
また、給紙部１０においてウェブロール１１、１２の切り換えが行われたときに、インフィード部２０に設けられたテンションローラ２２により検出されるウェブＷのインフィードテンション値が所定値ａ２より大きいか、あるいは冷却部５０に設けられたテンションローラ５２により検出されるウェブＷのクーリングテンション値が所定値ｂ２よりも大きい場合には（ＳＴＥＰ７の「ＮＯ」）、制御部９０は上記の通常制御を他の制御方法に切り換えることなく続行させる（ＳＴＥＰ１０）。なお、インフィード部２０に設けられたテンションローラ２２により検出されるウェブＷのインフィードテンション値が所定値ａ２より大きいか、あるいは冷却部５０に設けられたテンションローラ５２により検出されるウェブＷのクーリングテンション値が所定値ｂ２よりも大きい場合としては、印刷が行われるウェブＷが例えば厚紙である場合が考えられる。
【００４１】
上述したＳＴＥＰ１〜ＳＴＥＰ１０に示す動作は、印刷機において印刷が終わるまで行われる（ＳＴＥＰ１１）。
【００４２】
次に、制御部９０がプリセット制御を行う際の動作について図３に示すフローチャートを用いて説明する。
【００４３】
給紙部１０においてウェブロール１１、１２の切り換えが行われたときに、制御部９０が通常制御をプリセット制御に切り換えると、員数カウントが開始される（ＳＴＥＰ１０１）。ここで、員数カウントとは、折機７０の鋸胴７４により断裁された後のウェブＷの枚数単位においてどれくらいの量のウェブＷが搬送されたかを計数するものである。例えば、折機７０の鋸胴７４により断裁された後の５枚分の量のウェブＷが搬送されると、員数カウントは５枚となる。そして、員数カウント値が予め設定された所定枚数（ｓ１）に到達すると（ＳＴＥＰ１０２の「ＹＥＳ」）、制御部９０は上記の断裁制御をオフとする（ＳＴＥＰ１０３）。また、制御部９０は、ウェブパス部６０におけるコンペンモータ６４を駆動してコンペンセータローラ６２を所定量だけ移動させる（ＳＴＥＰ１０４）。ここで、コンペンセータローラ６２の移動量（すなわち、プリセット値）は、過去の印刷機における運転実績により決められるようになっている。そして、員数カウント値が予め設定された所定枚数（ｓ２）に到達すると（ＳＴＥＰ１０５の「ＹＥＳ」）、制御部９０は断裁制御をオンとする（ＳＴＥＰ１０６）。
【００４４】
その後、断裁位置ずれ量検出部としてのセンサ８８によりウェブＷの断裁位置のずれ量が検出されると（ＳＰＴＥ１０７）、このウェブＷの断裁位置のずれ量が許容範囲内である場合には（ＳＴＥＰ１０８の「ＹＥＳ」）、所定の条件が満たされたとして制御部９０はプリセット制御を元の通常制御に切り換える（図２のＳＴＥＰ６）。一方、センサ８８により検出されるウェブＷの断裁位置のずれ量が許容範囲外であった場合には（ＳＴＥＰ１０８の「ＮＯ」）、制御部９０は再び断裁制御をオフとする（ＳＴＥＰ１０９）。その後、制御部９０は、ウェブＷの断裁位置のずれ量が許容範囲内に入るまでウェブパス部６０におけるコンペンモータ６４を駆動してコンペンセータローラ６２の位置を調整する（ＳＴＥＰ１１０）。そして、員数カウントが所定枚数（ｓ３）経過するまでウェブＷの断裁位置のずれ量が許容範囲内に入り続けた場合には（ＳＴＥＰ１１１の「ＹＥＳ」）、所定の条件が満たされたとして制御部９０はプリセット制御を元の通常制御に切り換える（図２のＳＴＥＰ６）。
【００４５】
次に、制御部９０がオンオフ制御を行う際の動作について図４に示すフローチャートを用いて説明する。
【００４６】
給紙部１０においてウェブロール１１、１２の切り換えが行われたときに、制御部９０が通常制御をオンオフ制御に切り換えると、員数カウントが開始される（ＳＴＥＰ２０１）。そして、員数カウント値が予め設定された所定枚数（ｓ１）に到達すると（ＳＴＥＰ２０２の「ＹＥＳ」）、制御部９０は上記の断裁制御をオフとする（ＳＴＥＰ２０３）。なお、オンオフ制御が行われる場合は、上記のプリセット制御が行われる場合と異なり、コンペンセータローラ６２が所定量（プリセット値）だけ移動させられることはない。そして、員数カウント値が予め設定された所定枚数（ｓ２）に到達すると（ＳＴＥＰ２０４の「ＹＥＳ」）、制御部９０は断裁制御をオンとする（ＳＴＥＰ２０５）。
【００４７】
その後、断裁位置ずれ量検出部としてのセンサ８８によりウェブＷの断裁位置のずれ量が検出されると（ＳＰＴＥ２０６）、このウェブＷの断裁位置のずれ量が許容範囲内である場合には（ＳＴＥＰ２０７の「ＹＥＳ」）、所定の条件が満たされたとして制御部９０はオンオフ制御を元の通常制御に切り換える（図２のＳＴＥＰ９）。一方、センサ８８により検出されるウェブＷの断裁位置のずれ量が許容範囲外であった場合には（ＳＴＥＰ２０７の「ＮＯ」）、制御部９０は再び断裁制御をオフとする（ＳＴＥＰ２０８）。その後、制御部９０は、ウェブＷの断裁位置のずれ量が許容範囲内に入るまでウェブパス部６０におけるコンペンモータ６４を駆動してコンペンセータローラ６２の位置を調整する（ＳＴＥＰ２０９）。そして、員数カウントが所定枚数（ｓ３）経過するまでウェブＷの断裁位置のずれ量が許容範囲内に入り続けた場合には（ＳＴＥＰ２１０の「ＹＥＳ」）、所定の条件が満たされたとして制御部９０はオンオフ制御を元の通常制御に切り換える（図２のＳＴＥＰ９）。
【００４８】
図７は、図１に示す印刷機により厚紙、普通紙および薄紙の各々に対して印刷が行われる際に給紙部１０においてウェブロール１１、１２の切り換えが行われた場合におけるウェブＷの断裁位置のずれ量の経時的な変化を示すグラフである。なお、図７では、給紙部１０においてウェブロール１１、１２の切り換えが行われた後に、制御部９０が通常制御（上記の断裁制御）を他の制御方法に切り換えることなく続行させた場合のウェブＷの断裁位置のずれ量が示されている。図７に示すように、印刷が行われるウェブＷが厚紙である場合には、給紙部１０においてウェブロール１１、１２の切り換えが行われてもウェブＷの断裁位置のずれ量は許容範囲内（具体的には、図７のグラフにおける「−ｍ」および「＋ｍ」の間の領域）に収束されるが、印刷が行われるウェブＷが普通紙や薄紙である場合には、給紙部１０においてウェブロール１１、１２の切り換えが行われたときにウェブＷの断裁位置のずれ量が許容範囲外となってしまう場合がある。また、印刷が行われるウェブＷが薄紙である場合には、印刷が行われるウェブＷが普通紙である場合よりも、給紙部１０においてウェブロール１１、１２の切り換えが行われたときにおけるウェブＷの断裁位置のずれ量の変化量が大きくなってしまう。このため、本実施の形態では、印刷が行われるウェブＷが普通紙や薄紙である場合には、給紙部１０においてウェブロール１１、１２の切り換えが行われたときに、制御部９０は通常制御（上記の断裁制御）を他の制御方法（具体的には、プリセット制御やオンオフ制御）に切り換えることにより、ウェブＷの断裁位置のずれ量をできるだけ迅速に許容範囲内に収束させるようにしている。また、図３のフローチャートに示すようなプリセット制御を行った場合には、断裁制御がオフとなったときにコンペンセータローラ６２を所定量（プリセット値）だけ移動させることにより、図４のフローチャートに示すようなオンオフ制御を行った場合よりも、ウェブＷの断裁位置のより大きなずれ量を迅速に許容範囲内に収束させることができる。このため、印刷が行われるウェブＷが薄紙である場合には通常制御をプリセット制御に切り換えるようにし、また、印刷が行われるウェブＷが普通紙である場合には通常制御をオンオフ制御に切り換えるようにしている。
【００４９】
図８は、図１に示すオフセット印刷機により薄紙に対して印刷が行われる際に給紙部１０においてウェブロール１１、１２の切り換えが行われた場合におけるウェブＷの断裁位置のずれ量の経時的な変化を示すグラフである。なお、図８では、給紙部１０においてウェブロール１１、１２の切り換えが行われた後に、制御部９０が通常制御（上記の断裁制御）をプリセット制御に切り換えた場合のウェブＷの断裁位置のずれ量が示されている。制御部９０がプリセット制御を行う場合には、上述したように、員数カウント値が予め設定された所定枚数（ｓ１）に到達すると、制御部９０は断裁制御をオフとし、また、ウェブパス部６０におけるコンペンモータ６４を駆動してコンペンセータローラ６２を所定量だけ移動させる。ここで、上述したように、コンペンセータローラ６２の移動量（すなわち、プリセット値）は、過去の印刷機における運転実績により決められるようになっている。そして、員数カウント値が予め設定された所定枚数（ｓ２）に到達すると、制御部９０は断裁制御をオンとする。このようなプリセット制御を行うことにより、図７の点線に示すような通常制御をプリセット制御に切り換えなかった場合におけるウェブＷの断裁位置のずれ量の経時的な変化と比較して、ウェブＷの断裁位置のずれ量を迅速に許容範囲内に収束させることができるようになる。
【００５０】
以上のような構成からなる本実施の形態の印刷機およびこのような印刷機による印刷方法によれば、制御部９０は、給紙部１０においてウェブロール１１、１２の切り換えが行われたときに、テンション検出部としてのテンションローラ２２、５２により検出されるウェブＷのテンションに基づいて、断裁制御（すなわち、断裁位置ずれ量検出部としてのセンサ８８により検出されるウェブＷの断裁位置のずれ量に基づいて断裁位置調整部としてのコンペンセータローラ６２によりウェブＷの断裁位置を調整するような制御方法）を他の制御方法に変更することができるようになっている。このため、印刷が行われるウェブＷが例えば厚紙、普通紙、薄紙の場合でウェブＷの断裁位置の調整方法を異なるものとすることができ、このため印刷が行われるウェブＷの材質にかかわらず給紙部１０においてウェブロール１１、１２の切り換えが行われた後のウェブＷの断裁位置のずれ量をより迅速に許容範囲内に収束させることができる。
【００５１】
また、本実施の形態の印刷機においては、上述したように、テンション検出部は、給紙部１０と印刷ユニット３０との間において搬送されるウェブＷのテンションを検出するインフィード部２０のテンションローラ２２（第１テンション検出部分）と、ウェブＷの搬送方向において印刷ユニット３０よりも下流側のウェブＷのテンションを検出する冷却部５０のテンションローラ５２（第２テンション検出部分）とを有しており、制御部９０は、給紙部１０においてウェブロール１１、１２の切り換えが行われたときに、インフィード部２０のテンションローラ２２により検出されるウェブＷのインフィードテンション値および冷却部５０のテンションローラ５２より検出されるウェブＷのクーリングテンション値の各々に基づいて、断裁制御を他の制御方法に変更することができるようになっている。より詳細には、制御部９０は、給紙部１０においてウェブロール１１、１２の切り換えが行われたときに、インフィード部２０のテンションローラ２２により検出されるウェブＷのインフィードテンション値が所定値ａ２よりも小さく、かつ冷却部５０のテンションローラ５２より検出されるウェブＷのクーリングテンション値が所定値ｂ２よりも小さい場合に、断裁制御を他の制御方法（具体的には、プリセット制御やオンオフ制御）に変更するようになっている。ここで、上述したように、インフィードテンション値は、主にウェブＷの材質を基にオペレータが設定（通常は紙の厚みと比例関係にある）したものである。また、クーリングテンション値は、主に印刷機の仕様やオペレータの操作におけるクセ等によって変化するようになっているため、上記の運用を行った場合には、ウェブＷの材質ならびに印刷機の仕様やオペレータの操作におけるクセの両方を考慮して断裁制御を他の制御方法に変更するか否かを判定することができるようになる。
【００５２】
なお、本発明による印刷機やこのような印刷機による印刷方法は、上述したような構成のものに限定されることはなく、様々な変更を加えることができる。
【００５３】
例えば、制御部９０は、給紙部１０においてウェブロール１１、１２の切り換えが行われたときに、冷却部５０のテンションローラ５２より検出されるウェブＷのクーリングテンション値のみに基づいて、断裁制御を他の制御方法に変更することができるようになっていてもよい。このような運用について図６に示す表を用いて説明する。
【００５４】
図６の表に示すように、給紙部１０においてウェブロール１１、１２の切り換えが行われたときに、冷却部５０に設けられたテンションローラ５２により検出されるウェブＷのクーリングテンション値が所定値ｂ１以下である場合には、制御部９０は通常制御（上記の断裁制御）を図３のフローチャートに示すようなプリセット制御に切り換える。そして、制御部９０は、所定の条件が満たされるとプリセット制御を元の通常制御に切り換える。また、給紙部１０においてウェブロール１１、１２の切り換えが行われたときに、冷却部５０に設けられたテンションローラ５２により検出されるウェブＷのクーリングテンション値が所定値ｂ１よりも大きいが、この所定値ｂ１よりも大きい所定値ｂ２以下である場合には、制御部９０は通常制御（上記の断裁制御）をオンオフ制御に切り換える。そして、制御部９０は、所定の条件が満たされるとオンオフ制御を元の通常制御に切り換える。また、給紙部１０においてウェブロール１１、１２の切り換えが行われたときに、冷却部５０に設けられたテンションローラ５２により検出されるウェブＷのクーリングテンション値が所定値ｂ２よりも大きい場合には、制御部９０は上記の通常制御を他の制御方法に切り換えることなく続行させる。
【００５５】
このように、給紙部１０においてウェブロール１１、１２の切り換えが行われたときに、冷却部５０のテンションローラ５２より検出されるウェブＷのクーリングテンション値のみに基づいて断裁制御を他の制御方法に変更するか否かを判定する場合には、ウェブＷが断裁される箇所（具体的には、折機７０の鋸胴７４）により近い箇所のウェブＷのテンション（すなわち、クーリングテンション値）のみを制御部９０における制御に反映させることができるようになり、印刷機の仕様やオペレータの操作におけるクセを考慮して断裁制御を他の制御方法に変更するか否かを判定することができるようになる。
【００５６】
また、他の変形例に係る印刷機では、給紙部１０においてウェブロール１１、１２の切り換えが行われたときに、断裁制御から変更される制御方法が、プリセット制御およびオンオフ制御のうち何れか一方の制御のみとなっていてもよい。例えば、給紙部１０においてウェブロール１１、１２の切り換えが行われたときに、断裁制御から変更される制御方法がオンオフ制御のみとなっている場合には、図５に示す表においてインフィード部２０のテンションローラ２２により検出されるウェブＷのインフィードテンション値が所定値ａ２よりも小さく、かつ冷却部５０のテンションローラ５２より検出されるウェブＷのクーリングテンション値が所定値ｂ２よりも小さい場合に、断裁制御がオンオフ制御に変更されるようになる。この場合には、インフィード部２０のテンションローラ２２により検出されるウェブＷのインフィードテンション値が所定値ａ１よりも小さく、かつ冷却部５０のテンションローラ５２より検出されるウェブＷのクーリングテンション値が所定値ｂ１よりも小さい場合でも、断裁制御はオンオフ制御に変更される。
【００５７】
また、別の態様では、給紙部１０においてウェブロール１１、１２の切り換えが行われたときに、図５に示す表において、インフィード部２０のテンションローラ２２により検出されるウェブＷのインフィードテンション値が所定値ａ２よりも小さく、かつ冷却部５０のテンションローラ５２より検出されるウェブＷのクーリングテンション値が所定値ｂ２よりも小さい場合に、断裁制御がプリセット制御に変更されるようになっていてもよい。
【００５８】
また、本発明による印刷機やこのような印刷機による印刷方法は、給紙部１０においてウェブロール１１、１２の切り換えが行われたときに、テンション検出部により検出されるウェブＷのテンションに基づいて断裁制御を他の制御方法に変更することができるようになっているものに限定されることはない。他の構成の印刷機として、印刷が行われるウェブＷの材質に係る情報をオペレータが入力するためのタッチパネルや操作キー等の入力手段が設けられており、オペレータにより入力されたウェブＷの材質に係る情報が、印刷機のウェブ材質情報受付手段により受け付けられるものが用いられるようになっていてもよい。そして、給紙部１０においてウェブロール１１、１２の切り換えが行われたときに、ウェブ材質情報受付手段により受け付けられたウェブＷの材質に係る情報に基づいて、断裁制御が他の制御方法に変更されるようになる。具体的には、例えば、オペレータは入力手段によりウェブＷの材質として薄紙、普通紙および厚紙の中から一つのものを選択することができるようになっていてもよい。この場合には、給紙部１０においてウェブロール１１、１２の切り換えが行われたときに、ウェブＷの材質として薄紙が選択されていた場合には通常制御を図３のフローチャートに示すようなプリセット制御に切り換え、また、ウェブＷの材質として普通紙が選択されていた場合には通常制御を図４のフローチャートに示すようなオンオフ制御に切り換える。また、給紙部１０においてウェブロール１１、１２の切り換えが行われたときに、ウェブＷの材質として厚紙が選択されていた場合には通常制御を他の制御方法に切り換えることなく続行させるようにする。
【００５９】
このような構成の印刷機や当該印刷機による印刷方法によれば、給紙部１０においてウェブロール１１、１２の切り換えが行われたときに、ウェブ材質情報受付手段により受け付けられたウェブＷの材質に基づいて、断裁制御（すなわち、断裁位置ずれ量検出部としてのセンサ８８により検出されるウェブＷの断裁位置のずれ量に基づいて断裁位置調整部としてのコンペンセータローラ６２によりウェブＷの断裁位置を調整するような制御方法）を他の制御方法に変更することができるようになっている。このため、印刷が行われるウェブＷが例えば厚紙、普通紙、薄紙の場合でウェブＷの断裁位置の調整方法を異なるものとすることができ、このため印刷が行われるウェブＷの材質にかかわらず給紙部１０においてウェブロール１１、１２の切り換えが行われた後のウェブＷの断裁位置のずれ量をより迅速に許容範囲内に収束させることができる。
【符号の説明】
【００６０】
１０    給紙部
１１、１２    ウェブロール
１３    ウェブロール支持部
１３ａ  アーム部
１３ｂ  軸
２０    インフィード部
２２    テンションローラ
３０    印刷ユニット
３２    版胴
３４    ブランケット胴
４０    乾燥部
５０    冷却部
５２    テンションローラ
６０    ウェブパス部
６２    コンペンセータローラ
６４    コンペンモータ
７０    折機
７１    三角板
７３    ニッピングローラ
７４    鋸胴
７５    折胴
８０、８１、８２、８４    駆動モータ
８８    センサ
９０    制御部
Ｗ      ウェブ
【図１】
2016068384.tif 000003
【図２】
2016068384.tif 000004
【図３】
2016068384.tif 000005
【図４】
2016068384.tif 000006
【図５】
2016068384.tif 000007
【図６】
2016068384.tif 000008
【図７】
2016068384.tif 000009
【図８】
2016068384.tif 000010